Podtech/llm-jp-corpus-v4-ja_patent huggingface dataset:
(57)【要約】【目的】  本発明は、流し台、風呂等の排水口を閉鎖して悪臭の進入を防止する閉鎖用シール材である。【構成】  本体シート材２に粘着材４を塗布し、その粘着材４の上に粘着防止材３を貼り、その粘着防止材３は本体シート材２を排出口に貼着する場所である。【選択図】        図１
2006077525.tif 000002
【特許請求の範囲】
【請求項１】
本体シート材に、少なくとも排出口の周囲となる箇所に粘着材を塗布し、その粘着材の上に粘着防止材を貼ることを特徴とする閉鎖用シール材。
【請求項２】
粘着防止材に突出体が形成してあることを特徴とする請求項１の閉鎖用シール材。
【発明の詳細な説明】
【技術分野】
【０００１】
本発明は、流し台、風呂等の排水口を閉鎖するために使用する閉鎖用シール材に関する。
【背景技術】
【０００２】
各家庭には、流し台、風呂、便所等、水を使用し、その水を下水溝に排出するようになっている。そして、流し台等は下水溝と直結しているため、下水溝からの臭いが、流し台から排出しないように、廃水管の途中に逆Ｕ字管が設けてある。
この逆Ｕ字管は、常時、水で満たされているため、その水によって、遮断状態になっているために、下水溝からの臭いはその逆Ｕ字管によって遮られ、流し台から臭いが排出することがない。
【発明の開示】
【発明が解決しようとする課題】
【０００３】
常時、流し台等を使用している場合には、逆Ｕ字管は水で満ちているが、例えば、借家の場合には、借家人が転居した後は、所謂空き家となる。この空き家になると、逆Ｕ字管に満たされている水は蒸発すると、虫がわいたりすると共に、下水溝と流し台等は連通になり、下水溝からの異臭は流し台から排出し、空き部屋に充満することになる。
そのため、新たな借家人が、空き部屋を見にきたとき、異臭が漂い、借家契約に支障をきたすことがある。
そこで、本発明は、簡便にして、空き部屋に異臭が充満するのを防止する排水口の閉鎖用シール材を提供する。
【課題を解決するための手段】
【０００４】
請求項１の排水口の閉鎖用シール材は、本体シート材に、少なくとも排出口の周囲となる箇所に粘着材を塗布し、その粘着材の上に粘着防止材を貼て構成してある。そこで、排水口を閉鎖するときには、先ず、粘着防止材を剥し、シール材を排出口の上に貼ることによって、排出口の周囲において粘着材で貼着される。  又、請求項２の閉鎖用シール材は、粘着防止材に突出体が形成してあるので、その突出体をもって容易に剥すことができる。
【発明の効果】
【０００５】
請求項１の排水口の閉鎖用シール材は、極めて簡便な構成であり、粘着防止材を剥し、シール材を排出口の上に貼ることによって、排出口を閉鎖できるので、空き部屋等への異臭の進入を防止できる。
又、請求項２の排水口の閉鎖用シール材は、粘着防止材に突出体が形成してあるので、その突出体をもって容易に剥すことができる。
【発明を実施するための最良の形態】
【０００６】
本発明の１実施の形態を図１を参照して説明する。図１（Ａ）は排水口の閉鎖用シール材の裏面図、（Ｂ）は断面図、（Ｃ）は粘着防止材３の一部を剥して使用できる姿態の裏面図である。
家庭における排水口には、流し台、風呂場、洗面台、便所等があり、各々、下水溝と連結している。そして、その排水口の形状は種々であり、例えば、流し台、風呂場、洗面台の排出口は丸形であり、便所の場合には、楕円形である。
【０００７】
前記排出口として流し台を取り上げ、その排水口１０を閉鎖するシール材１について説明する。
シール材１は、本体シート材２と粘着材４と粘着防止材３とで構成してあり、本体シート材２と粘着防止材３は、透明又は半透明の合成樹脂であるポリプロピレンシート等を使用する。
そして、ポリプロピレンシートの片面に粘着材４を塗布し、その粘着材４を覆うために、粘着防止材３を貼着して、付着防止を図っている。
尚、前記本体シート材２と粘着材４と粘着防止材３は、透明のものを使用すると、後記で詳述するように、貼着したとき内部が見えて好ましいが、内部が見えない方がよい場合には半透明又は不透明の物を使用する。
【０００８】
又、この本体シート材２の全面に粘着材４を塗布するのは、安価に製造するためであり、本来、粘着する排出口等の周囲のみに粘着材４を塗布すればよい。
又、前記粘着防止材３は、予め、使用箇所である、例えば、流しの排出口１０より僅かに大きめで、且つ、粘着する排出口１０の外周において、粘着材４を露出するために、切断目７が形成してあると共に、端部に、指先で摘むことができる突出体５が形成してある。
【０００９】
次に、前記シール材１の使用方法について説明すると、本体シート材２と粘着防止材３が一体となっているので、使用に当って、先ず、粘着防止材３の突出体５を指先にもって剥すと、本体シート材２には、排出口の外周におけるタイル等と接着する場所だけに、粘着材４（図１（Ｃ）の斜線部）が塗布された状態になる。
そこで、このシール材１を排出口１０を閉鎖するように貼ると、下水溝からの異臭はシール材１によって遮断され、排出溝からの異臭で空き部屋が満たされることはない。
図２（Ａー１）は流し台の排出口、図２（Ａー２）は流し台の排出口にシール材１を貼着した姿態図、図２（Ｂー１）は風呂場の排出口であり、図２（Ｂー１）はその排出口にシール材１を貼着した姿態図である。
【００１０】
次に、図３に記載の便所での閉鎖について説明すると、図３（Ａ）はシール材１の斜視図と断面図、図３（Ｂ）は便器２０、図３（Ｃ）は便器本体２１にシール材１を貼着した姿態図である。
便器２０は、直接に、下水溝と連結しているので、下水溝からの異臭を遮断するには便器本体２１を覆うことになる。
そこで、図１に示すと同じ構成のシール材１において、本体シート材２に粘着材４を塗布し、便器本体２１に貼着できる箇所を剥すと粘着材４が露出可能に、粘着防止材３で覆う。
そして、突出体５をもって粘着防止材３を剥すと、本体シート材２には便器本体２１と接着する箇所のみに粘着材４が塗布された状態になる。
そこで、このシール材１を便器本体２１に貼着すると、下水溝からの異臭を遮断することができる。
【００１１】
以上のように、下水溝と直結する排出口を本願のシール材で閉鎖するという、極めて簡便な作業で、例え、空き部屋になっても、わいた虫の進入を防止できるし、異臭の進入を防止することができる。
【図面の簡単な説明】
【００１２】
【図１】（Ａ）は排水口の閉鎖用シール材の裏面図、（Ｂ）は断面図、（Ｃ）は粘着防止材の一部を剥して使用できる姿態の裏面図である。
【図２】（Ａー１）は流し台の排出口、（Ａー２）は流し台の排出口にシール材を貼着した姿態図、（Ｂー１）は風呂場の排出口であり、（Ｂー１）はその排出口にシール材を貼着した姿態図である。
【図３】（Ａ）はシール材の斜視図と断面図、（Ｂ）は便器、（Ｃ）は便器本体にシール材を貼着した姿態図である。
【符号の説明】
【００１３】
１  シール材
２  本体シート材
３  粘着防止材
４  粘着材
１０  排水口
【図１】
2006077525.tif 000003
【図２】
2006077525.tif 000004
【図３】
2006077525.tif 000005
(57)【要約】【課題】従来は水道の蛇口の高さが決まっていて、立ったまま手を洗える位置だったので、地面までの距離があり、手を洗ったり雑巾をすすぐときに、水がはね、靴や衣服を濡らしてしまった。又、強風の時、真下に水が落ちずバケツやジョーロの口に入らないため、手で蛇口の近くまで持ち上げていなければならなかった。又、手を洗うとき、蛇口よりホースを伸ばしても水が出ると揺れる、片手で持つと両手をこすり合わせて洗えない。又ホースの先を保持しても巻き癖が有り、水が真っ直ぐでないことが多かった。という欠点があった。【解決手段】高い位置の蛇口よりホースを出し〔図３〕の（４）のパイプに差し込むことにより低い好みの位置で水が出るようにしてこれらの欠点を解決した。【選択図】  図３
2006077559.tif 000002
【特許請求の範囲】
【請求項１】
高い位置の蛇口より水の流出パイプにホースを差し込む事により水の流出口を低い位置にて使用でき流出口も上下、左右、移動も出来る水流出具である。硬い水の流出口を備えており、ただホースの水の出口を保持するものではない。ホースは巻き癖がついている為に、ただ止めただけでは水が曲がったホースに影響され、まっすぐに出ない事がある。どの向きでホースを差し込んでも影響されない流出パイプと三脚台を一体とした物である。又、形状も、動物、人形、プラスチックの一体型も含むものとする。
【発明の詳細な説明】
【発明の詳細な説明】
【技術分野】
【０００１】本発明は高い位置での水の流出口を、低い位置にして使用出来るための道具に関する物である。
【背景技術】
【０００２】従来は蛇口の高さが高い位置にあり、手を洗ったり雑巾をすすぐときに、水がはねて衣服を濡らしたり、風の強い時にはジョーロの口に入らずに手で持っていなければならなかった。
【発明の開示】
【発明が解決しようとする課題】
【０００３】（イ）流出口の位置が高いと、手を洗ったり雑巾をすすぐときに水がはね、靴や衣服を濡らしてしまった。
（ロ）強風のとき、蛇口から地面までの距離が有るため真下に水が落ちずジョーロやバケツを持っていなければならなかった。
（ハ）ホースをつないで長くしても、片手でホースを持っているため、両手を一度に洗えなかった。
（ニ）ホースの先を固定すると、ホースは巻き癖が有り、水がまっすぐに出ない事が多かった。
これらの欠点を解決する為の物である。
【課題を解決するための手段】
【０００４】（イ）水の流出口のパイプを固定するパイプが一体で（Ａ）（高さ約２００ｍｍ）
（ロ）（Ａ）が倒れないように支える三脚部分が（Ｂ）（高さ約３００ｍｍ）
（ハ）（４）に蛇口からのホースを入れて水の勢いで抜けないようにクリップではさむ。クリップとチェーンで本体とつながっている物が（Ｃ）
（ニ）（Ａ）の（２）のパイプ部分を（Ｂ）の（３）のパイプに差し込み、好みの高さと方向で（５）のねじを締めて止める。
（ホ）（４）の部分のパイプ（内径２０ｍｍ）に蛇口からのホース（１２）（外径１８ｍｍ）を差し込む。又はその上のサイズのホースも入るよう太さ二段階になっている。
（ヘ）差し込んだホース（１２）の元の蛇口を開くと（１）より水が出て、跳ねない低い位置で使用できる。
【発明を実施するための最良の形態】
【０００５】以下、本発明の実施の最良の形態を説明する。
（イ）ホース（１２）の元の蛇口をゆるめるとホースの中を通った水が出てくる。
（１）の流出口は（４）の部分より低く傾けてあるので、逆流はしないようになっている。又、蛇口からのホースを若干長くしておくと移動して使うことも出来る。
（ロ）（Ｂ）に付いているねじ（５）をゆるめると（Ａ）本体が上下、回転するので背の高いバケツなどの時、又は方向を変えたい時、調節して使うことが出来るようになっている。
（ハ）ホースの太さにより、二種類の太さに対応するように（４）の挿入口が二段階になっている。
（ニ）（４）に差し込んだホースが抜けないように（Ｃ）のクリップではさみ防止する。
【発明の効果】
【０００６】（イ）高い位置の蛇口でも、本発明を使用することにより手を洗ったり、雑巾をすすぐとき、水がはねて靴や洋服が濡れない。
（ロ）強風の時バケツやジョーロに水を汲むとき、下に置いたままでも水が中に入るようになった。
（ハ）ホースの先を固定、保持して使用すると、ホースの巻き癖のため水の出る方向が変化してしまうことがあったが、真っすぐに出るようになった。
【図面の簡単な説明】
【図１】本発明の斜視図である
【図２】本発明の分解斜視図である
【図３】本発明品の使用状態を示す斜視図である
【符号の説明】
（１）    水の流出口
（２）    流出口のパイプと一体のパイプ《（Ｂ）の（３）に入れる》
（３）（Ａ）の（２）の部分が入るパイプ
（４）    蛇口からのホースを入れる所
（５）    （Ａ）を上下させるときゆるめ、止める時に締めるネジ
（６）    （５）のネジを入れる穴
（７）    パイプの三脚足
（８）    三脚を固定する支え
（９）    クリップからのチェーンを掛ける柱
（１０）  クリップのチェーンの先端の輪。《（９）の柱に掛ける》
（１１）  ホースが水の勢いで抜けないようにホースを挟むクリップ
（１２）  水道の蛇口からのホース
【図１】
2006077559.tif 000003
【図２】
2006077559.tif 000004
【図３】
2006077559.tif 000005
(57)【要約】      （修正有）【課題】レール間の絶縁材の下面に付着した鉄粉の除去を確実に行える器具を提供する。【解決手段】レールＲ端面間に介在する絶縁材ａの介在方向の幅より広い横幅が有り、しかも適所に磁石４を収設した上面開口の容器主体１を有し、該容器主体１の、前記横幅方向に直交する方向の先端側上面に、前記絶縁材ａの下面に接触させるブラシ２を突設する。また、前記先端側に対応する、前記容器主体１の基端面には把手３を突設する。【選択図】図４
2006077532.tif 000002
【特許請求の範囲】
【請求項１】
レール端面間に介在する絶縁材の介在方向の幅より広い横幅が有り、しかも適所に磁石を収設した上面開口の容器主体を有し、該容器主体の、前記横幅方向に直交する方向の先端側上面に、前記絶縁材の下面に接触させるブラシを突設すると共に、前記先端側に対応する、前記容器主体の基端面には把手を突設した、電車レールの付着鉄粉の掻き取り具。
【発明の詳細な説明】
【技術分野】
【０００１】
本発明は、電車レール殊に絶縁材を介するレールの接目部分下面に付着した鉄粉を掻き取るために用いる、電車レールの付着鉄粉の掻き取り具に関するものである。
【背景技術】
【０００２】
電車レールは、ポイント区間ごとに絶縁材を用いた接目を介して継ぎ、ポイント区間同士の電気系統を違えて電車を運行するようにしているが、電車の車輪の摩擦によってレールから擦り取られた鉄粉が前記絶縁材部に磁着し、前記ポイント区間間を導通させ、前記の電気系統を乱し、大きな電車事故に繋がることがある。
【０００３】
このため、絶縁材部に付着した鉄粉を例えば、モップのような器具を用いて取り除く作業が適宜行われているのが、レール下面側は場所的な狭小な空間を利用して取り除かなければならないため、例えば、布きれ等で拭き取るようにせざるを得ず、拭き取り時に鉄粉が手元から脱落し、風等で再び付着したりするので、有用な器具が望まれていた。
【０００４】
本発明は、斯様な要求に答えるものとして提案するものである。
【発明の開示】
【課題を解決するための手段】
【０００５】
レール端面間に介在する絶縁材の介在方向の幅より広い横幅が有り、しかも適所に磁石を収設した上面開口の容器主体を有し、該容器主体の、前記横幅方向に直交する方向の先端側上面に、前記絶縁材の下面に接触させるブラシを突設すると共に、前記先端側に対応する、前記容器主体の基端面には把手を突設した構成とするのである。
【発明の効果】
【０００６】
本発明によれば、ブラシで掻き取った鉄粉を、直ちに磁石に吸着させて、飛散させることなく吸着できるから、レール間の絶縁材下面に付着した鉄粉を確実に除去することができ、実用的である。
【実施例】
【０００７】
図面は本発明に係る、電車レールの付着鉄粉の掻き取り具の一実施例を示し、図１は一部欠截平面図、図２は一部欠截正面図、図３は使用状態を示す一部欠截平面図、図４は使用状態を示す一部欠截正面図である。
【０００８】
図中、１は本発明に係る掻き取り具Ａの容器主体で、容器主体１は、レールＲの端面間に介在させた絶縁材ａの介在方向（レールＲの長手方向）の幅より広い横幅の有る、底の浅い長方形箱状体で成り、この容器主体１の前壁部片を省略して開放した先端には、基盤２ａと植毛材料２ｂとで成るブラシ２を、前記基盤２ａにおいて主体１の底板１ａ上に載置止着して装置し、該ブラシ２側の先端に対応する主体１の基端面（主体１の後壁部片１ｂの外面）には把手３を突設してある。
【０００９】
図示４は、容器主体１の前記底板１ａに載置して固定した磁石（永久）で、磁石４は長方形平板体で成り、該磁石４を係合して組合せた套装枠５の先後両端の部片５ａ，５ｂをボルト６およびナット７によって前記底板１ａに締付けて容器主体１内に収設したものである。
【００１０】
しかして、レールＲ，Ｒ間に存する絶縁材ａ直下に配置して、ブラシ２を該絶縁材ａの下面に接触させるようにして把手３によって掻き取り具ＡをレールＲと直交する方向に前後させると、ブラシ２によって絶縁材ａ下面に付着した鉄粉（概し、電車の車輪がレールＲとの摩擦によって生じる）ｒ，ｒ，…は、掻き取られ、容器１内に装置した磁石４に吸着され、飛散することなく集積されるのである。
【００１１】
なお、容器主体１の形状は自由に選択すれば良く、また、該容器１内に収設した磁石の容器に対する固定手段は実施例の構造に限定する必要はないし、磁石そのものの形状、数、配置位置も自由に選択すれば良い。
【図面の簡単な説明】
【００１２】
【図１】一部欠截平面図。
【図２】一部欠截正面図。
【図３】使用状態を示す一部欠截平面図。
【図４】使用状態を示す一部欠截正面図。
【符号の説明】
【００１３】
１      容器主体
２      ブラシ
３      把手
【図１】
2006077532.tif 000003
【図２】
2006077532.tif 000004
【図３】
2006077532.tif 000005
【図４】
2006077532.tif 000006
(57)【要約】      （修正有）【課題】  従来の便器は立小便をしたとき小便が落下地点より小便が跳ね返り飛散し飛沫が床面、壁など汚染する。そこで、落下した小便の跳ね返りが便器の外に飛び散らないこと。  又、少量の洗浄水で洗浄し、節水ができる便器を提供する。【解決手段】  従来の便器に比べボウル面を浅くし又は、ボウル面を無くして便器中央に深い溝１を設ける。溝１の平面の形は矩形、先広がりの台形、若しくは丸底フラスコを横から見た形として溝１の両端は半円状とする。溝１の側面２と底面３の内面の角度は湾曲させる。洗浄水の吐出口４は溝１の後面リムに並べて設ける。  この事により落下した小便の跳ね返りが溝１の側面２に当たり流れ、飛沫が便器の外に飛び散らないこと。又、洗浄水が１方向にのみ流れ水流が強くなり少量の洗浄水で洗浄できるから節水をできる。【選択図】図１
2006077562.tif 000002
【特許請求の範囲】
【請求項１】
便器の中央に勾配のついた深い溝をつけたこと特徴とする、水洗便器
【請求項２】
洗浄水の吐出口を上記溝リム後面に配置したことを特徴とする水洗便器
【発明の詳細な説明】
【技術分野】
【０００１】  この発明は水洗便器の形状に関するものである。
【背景技術】
【０００２】  従来の水洗便器は図４示すごとく楕円形のボウル状で便器リムに洗浄水の吐出口が付いている
【発明の開示】
【発明が解決しょうとする課題】
【０００３】  しかしながら、以上の技術によれば立小便をしたとき小便が落下地点より小便が跳ね返り飛散し飛沫が床面、壁など汚染する。
そこで、この発明は、便器中央に深い溝をつけたことにより落下した小便の跳ね返りが溝の側面に当たり流れ飛沫が便器の外に飛び散らないこと。
又、洗浄水の吐出口を溝リム後面につけたことにより洗浄水が１方向にのみ流れ水流が強くなり少量の洗浄水で洗浄できるから節水をできることを提供することを課題とする。
【課題を解決するための手段】
【０００４】  以上の課題を解決するために、第一発明は便器中央に深い溝を設けたことを特徴とする  また、第二発明は溝リム後面の洗浄水の吐出口を設けたことを特徴とする便器である。
【発明の効果】
【０００５】  便器中央に深い溝をつけたことにより落下した小便の跳ね返りが溝の側面に当たり流れ飛沫が便器の外に飛び散らないこと、又、洗浄水の吐出口を溝リム後面につけたことにより洗浄水が１方向にのみ流れ水流が強くなり少量の洗浄水で洗浄できるから節水をできる
【発明を実施するための最良の形態】
【０００６】  この発明の実施形態を、図１に示す。
便器の本体は陶器、合成樹脂、その他のものであり、従来の便器に比べボウル面を浅くし又は、ボウル面を無くして便器中央に深い溝を設ける。溝の平面の形は矩形、先広がりの台形、若しくは丸底フラスコを横から見た形として溝の両端は半円状とする。溝の側面と底面の内面の角度は湾曲させる。
洗浄水の吐出口は溝の後面リムに並べて設ける。
【実施形態の効果】
【０００７】  この実施形態によれば、落下した小便の跳ね返りが溝の側面に当たり流れ飛沫が便器の外に飛び散らないこと。
又、洗浄水の吐出口を溝リム後面につけたことにより洗浄水が１方向にのみ流れ水流が強くなり少量の洗浄水で洗浄できるから節水をできる。
【図面の簡単な説明】
【０００８】
【図１】  この発明の実施形態を示す斜視図である。
【図２】  この発明の実施形態を示す平面図である。
【図３】  この発明の実施形態を示す溝中央の断面図並びに斜視図である。
【図４】  従来技術を示す斜視図である。
【符号の説明】
１  溝
２  溝の側面
３  溝の底面
４  浄水吐出口
５  汚水排出口
６  水流の方向
【図１】
2006077562.tif 000003
【図２】
2006077562.tif 000004
【図３】
2006077562.tif 000005
【図４】
2006077562.tif 000006
(57)【要約】【課題】  排便による臭気の除去。【解決手段】  汚物と汚物周辺の臭の分子を含む空気とを冷却する事によって，臭の分子の持つ運動エネルギ−を減少させて消臭を行う。具体的には，水道水の圧力１を用いて，流量調整用の弁２，及び，開閉用コック３，を介して噴霧用ノズル４によって，水を霧状にして便器５内の汚物６に向けて噴霧する。尚，噴霧用ノズル４は，固定具７によって便器５に固定される。【選択図】  図１
2006077570.tif 000002
【特許請求の範囲】
【請求項１】
便器内に水を霧状に噴霧する事によって，汚物の消臭を行う構造の水噴霧式便器内消臭具。
【発明の詳細な説明】
【発明の詳細な説明】
【技術分野】
【０００１】  本発明は，便器内に噴霧用ノズルを用いて水を霧状に噴霧し，汚物と汚物周辺の臭の分子を含む空気とを冷却する事によって，臭の分子の持つ運動エネルギ−の減少と，霧への臭の分子の吸収落下とによる相乗効果により，便器内の消臭を行う水噴霧式便器内消臭具である。
【背景技術】
【０００２】  従来，排便中に発生した臭を別の臭で置き換える方式，又は，汚物が水没するように便器内の水溜まり容積を増加させた方式が用いられていた。しかし，汚物自体が空気中に露出している為，臭気が常時発生し，さらに，汚物の温度が体温と同温である為，臭の分子の持つ運動エネルギ−が高く，トイレ内に汚物の臭気が充満していた。便器内の水溜まり容積を増加させた方式においても，汚物が浮遊している為，同様の状況が発生していた。
【発明を実施するための最良の形態】
【０００３】  本発明は，水道水の圧力１を用いて，流量調整用の弁２，及び，開閉用コック３，を介して噴霧用ノズル４によって，水を霧状にして便器５内の汚物６に向けて噴霧する。尚，噴霧用ノズル４は，固定具７によって便器５に固定される。
【発明の効果】
【０００４】  このようにすれば汚物自体からの臭気が発生しない為，排便中は自分自身の汚物の臭気を感ずる事がなく，又，他人の排便後すぐにトイレ内に入室しても，他人の汚物の臭気も感ずる事が無い。さらに，落下した霧によって便器底部が湿った状態にある為，便器の汚れ落ちが早く，トイレ内換気扇の容量も減少出来る。
【図面の簡単な説明】
【図１】本発明を．洋式便器及び和式便器に設置した場合の，立体図及び断面図である。
【符号の説明】
１  水道水の圧力    ２  流量調整用の弁    ３  開閉用コック    ４  噴霧用ノズル    ５  便器    ６  汚物    ７  固定具
【図１】
2006077570.tif 000003
(57)【要約】【課題】  従来、九九を学習する際には、小学生が発声練習を反復することによる記憶学習方法が一般的に行われているが、親や教師は、その発声練習を聞くことで正誤を判定することが必要であり、発声練習が反復される間、時間的に拘束されるなど負担が重い。【解決手段】  音声認識機能を有する学習機器が、小学生の九九発声練習の正誤を判定することにより、小学生が単独で反復練習することを可能にする。【選択図】  なし【特許請求の範囲】
【請求項１】
音声認識機能を有し、九九の発声練習の正誤を判定する学習機器。
【発明の詳細な説明】
【技術分野】
【０００１】  本発明は、掛け算の学習機器に関する。
【背景技術】
【０００２】  従来、一桁の自然数の掛け算である九九は、発声練習を反復することによる記憶学習方法が一般的に行われている。
【発明の開示】
【発明が解決しようとする課題】
【０００３】  九九を学習する際には小学生が発声練習を反復するが、親や教師は、間違った記憶を防ぎ、また、学習の進捗状況を把握するため、その発声練習を聞くことで正誤を判定することが必要である。【０００４】  親や教師にとっては、小学生の九九発声練習が反復される間、時間的に拘束されるなど負担が重く、これを解決する機器を提供する。
【課題を解決するための手段】
【０００５】  音声認識機能を有する学習機器が、小学生の九九発声練習の正誤を判定することにより、小学生が単独で反復練習することを可能にする。
【発明の効果】
【０００６】  音声認識機能を有する学習機器により、小学生が単独で九九を反復学習することが可能となり、親や教師の負担は相当軽減される。
(57)【要約】      （修正有）【課題】トンネル又は地下鉄の車窓に、華やかさ、楽しさ、活気などをもたらすことができ、また、アートなどの表現の場を提供すると供に、新しい広告媒体としても利用でき、非常時や臨時運行の案内などにも活用することが出来るトンネル壁面利用のプロジェクター式映像システムを提供する。【解決手段】電車の車体側面２にトンネル６又は地下鉄の壁面に映像５を投影するプロジェクター４を設ける。プロジェクター４は横に数台併設し映像を繋ぎ合わせるようにしてもよい。またプロジェクター４は車体に埋め込んでもよい。【選択図】図１
2006215506.tif 000002
【特許請求の範囲】
【請求項１】
電車にプロジェクターを設け、壁面に投影する映像システム。
【請求項２】
前記プロジェクターは、車体からトンネル、地下鉄などの壁面に向けて映像を投影することを特徴とする請求項１の映像システム。
【発明の詳細な説明】
【技術分野】
【０００１】  この発明は、電車利用者をターゲットとした新しい映像システムに関する。
【背景技術】
【０００２】  従来のトンネル又は地下鉄の車窓は暗い平凡で退屈な壁である。
【発明の開示】
【発明が解決しようとする課題】
【０００３】  しかしながら、以上の技術によれば、車窓から見える壁に大きいスクリーン映像を映すことを特徴とする映像システムを提供することを課題とする。
【課題を解決するための手段】
【０００４】  以上の課題を解決するために、第一発明は、電車にプロジェクターを設けたことを特徴とする映像システムである。
また、第二発明は、車体から壁面に映像を投影させることにより、電車が時速何キロで走っていても常にスクリーンの位置は変わらないことを特徴とする映像システムである。
【発明の効果】
【０００５】  第一発明、または第二発明によれば、車体にプロジェクターを設けたので映像の対象が大きく、また映像の位置は一定である。
【発明を実施するための最良の形態】
【０００６】  この発明の一実施形態を、図１、図２、図３に示す。
このプロジェクターは、電車本体の上部に車体外側に垂直に向けられて、トンネル、地下鉄等の壁面に映像を投影するように、安全性も配慮し頑丈に設けられている。
【実施形態の効果】
【０００７】  この実施形態によれば、薄暗いトンネル又は地下鉄の走行中の車窓から、映像を楽しむことができる。また走行する電車とそれに等速で平行移動する映像という点でアート分野で新しい表現が可能と考える。
【他の実施形態】
【０００８】  図４の実施形態では、プロジェクターを横に数台設けることにより、より映像をワイドな映像として繋ぎ合わせることができる。
【他の実施形態】
【０００９】  図５の実施形態では、プロジェクターを車体に埋め込むことで、取外れ防止などの安全性を高め、プロジェクター自体に横移動を可能とする実施形態である。
【産業上の利用可能性】
【００１０】  この映像システムは新しい広告媒体として利用可能である。企業はこの映像システムを活用することにより消費者を増やすことができる。消費者が増えることにより、経済の上昇を計ることができる。
【図面の簡単な説明】
【００１１】
【図１】  この発明の一実施形態を示す斜視図である。
【図２】  この発明の一実施形態を示す上面図である。
【図３】  この発明の一実施形態を示す側面図である。
【図４】  この発明の他の実施形態を示す上面図である。
【図５】  この発明の他の実施形態を示す側面図である。  ▲１▼  車体正面  ▲２▼  車体側面  ▲３▼  車体上面  ▲４▼  プロジェクター  ▲５▼  投影された映像  ▲６▼  トンネル又は地下鉄の壁面  ▲７▼  プロレクターレンズ  ▲８▼  頑丈なボルト
【図６】  アート的表現性の可能性
【図１】
2006215506.tif 000003
【図２】
2006215506.tif 000004
【図３】
2006215506.tif 000005
【図４】
2006215506.tif 000006
【図５】
2006215506.tif 000007
【図６】
2006215506.tif 000008
(57)【要約】【課題】      ハーモニカの舌を動かす練習具【解決方法】  透明板にハーモニカの吹き吸い穴の２倍のピッチの等間隔に通気穴を４個設けて、穴の通気を舌で制御する。【選択図】    図１
2006215508.tif 000002
【特許請求の範囲】
【請求項１】
透明な板にハーモニカの吹き吸い穴ピッチの２倍のピッチで通気穴４個を設けて成るハーモニカ練習具
【請求項２】
練習具の幅をハーモニカのマウスピースと同一として、ハーモニカに見立てた練習に違和感の少ない形状に構成したハーモニカ練習具。
【請求項３】
透明な材質にして、練習中の舌の動きが鏡で自己確認できるように構成したハーモニカ練習具。
【請求項４】
（請求項１）の通気穴４個はそれぞれ縦に２個配列して、計８個から成るハーモニカ練習具。
【請求項５】
（請求項１）から（請求項４）を満たした練習具にハーモニカのマウスピースと同様の升目を印刷して成るハーモニカ練習具。
【発明の詳細な説明】
【発明の詳細な説明】
【技術分野】
【０００１】  本発明は、ハーモニカ練習に於ける上達補助具に関するものである。
【背景技術】
【０００２】  従来、ハーモニカの奏法を覚えるのに、吹き吸いした音だけを頼りに口の開け具合、舌の当て方を耳で聴いて勘で覚えるしかなく習得するのに時間がかかり難しいものであった。  又、以下に述べる本発明に類する他の発明は、先願調査結果見当たらない。
【発明が解決しようとする課題】
【０００３】  ハーモニカ奏法で最も重要なのは舌の動かし方である。音を出す前に舌の動かし方を練習者自身の視覚で確認しながら習熟できる練習補助具の提供を課題とする。
【課題を解決するための手段】
【０００４】  一般的な複音ハーモニカは、吹いた時に和音が出せるようにドミソの音階が１穴飛びに左端から右端まで交互に配列されている。
【図２】
このため吹き口を３ツくわえて吹けばドとミ、又はミとソの和音が、５ツくわえて吹けばド、ミ、ソの和音が出る。このハーモニカの構造を利用した。
【０００５】ハーモニカのマウスピースに見立てた所定通気穴を設けた透明な板を用意して、練習奏法に合う舌の動かし方で穴の通気を制御して練習するのであるが、板が透明故に舌の動きを鏡で自己確認又は、指導者に見せることができる補助具を手段とする。
【発明を実施するための最良の形態】
【０００６】  以下、本発明の実施の形態を図示例に基づいて説明する。【０００７】  実施例を
【図１】
に示すが、使用中の曲りを防ぐなど強度のため、材質の肉厚が３ｍｍの透明アクリル板（１）の中心から横方向にハーモニカの吹き吸い穴ピッチ１穴飛びに４個の穴（２）を設けた練習具。
【０００８】  この練習具をハーモニカに見立てて唇（４）に当てて、例えばタング・ブロック奏法であれば
【図２】
の黒塗り部分の穴の通気を押さえる舌（５）の動きを練習するのである。
【０００９】
【図２】
に
【図１】
又は
【図３】
を重ねるとドの音階を残して左側のシとソを塞ぐタングブロック奏法の練習状態が分かる。
【０００１０】実施例
【図１】
の寸法について縦幅はハーモニカのマウスピースと同寸とするも、長手方向は両手で持ちやすい寸法とした。
【０００１１】  本実施例では製作しやすい丸穴としたが、穴の形状にとらはれるものではない。
【０００１２】  実施例
【図３】
に於いてはハーモニカのマウスピース（３）の仕切と同様に６．３ｍｍピッチで９個の升目（６）を、縦方向には４ｍｍピッチで２列の升目を印刷して、ハーモニカを連想し易くしたものである。
【０００１３】
【０００７】に述べた４ツの穴（２）それぞれは
【図４】
に示すように縦方向に２ツの穴で計８個としても、同じことである。
【発明の効果】
【０００１３】  かかる発明で、無音の状態で舌の動きを習熟してから、実際のハーモニカ練習をすると、きわめて上達が早い効果を確認した。
【図面の簡単な説明】
【図１】升目なし実施例外観図
【図２】タングブロック奏法の場合の使用例
【図３】升目付き実施例正面図
【図４】縦２穴の例
【符号の説明】
１，  透明材質  ２，  通気穴  ３，  ハーモニカのマウスピース  ４，  唇  ５，  舌  ６，  升目
【図１】
2006215508.tif 000003
【図２】
2006215508.tif 000004
【図３】
2006215508.tif 000005
【図４】
2006215508.tif 000006
(57)【要約】【課題】人の接近を自動で検知し、自動で識別情報を読み取り、個人認証を行い、画像形成を行う画像形成装置の提供。【解決手段】接近者を検知する接近検知手段と、検知された接近者に対し何らかの処理を行う接近処理手段とを有することを特徴とする画像形成装置。【選択図】        図２
2006215932.tif 000002
【特許請求の範囲】
【請求項１】
接近者を検知する接近検知手段と、検知された接近者に対し何らかの処理を行う接近処理手段とを有することを特徴とする画像形成装置。
【請求項２】
請求項１に記載の画像形成装置であって、前記接近処理手段が接近者の識別情報を取得する接近者情報取得処理手段であることを特徴とする、単体では個人認証を行えない画像形成装置。
【請求項３】
請求項１に記載の画像形成装置であって、前記接近処理手段が接近者の識別情報を取得し個人認証を行う、個人認証処理手段であることを特徴とする、単体で個人認証を行える画像形成装置。
【請求項４】
請求項１〜３いずれかに記載の画像形成装置であって、接近処理手段に加えて、接近処理結果を外部装置に通知することを特徴とする画像形成装置。
【請求項５】
請求項４に記載の画像形成装置であって、前記接近検知手段により、接近が検知されてから画像形成を行うことを特徴とする画像形成装置。
【請求項６】
請求項４に記載の画像形成装置であって、外部装置に接近処理結果を通知することに加えて、通知後に外部装置から画像形成に用いる画像データを配信してもらうことを特徴とする画像形成装置。
【請求項７】
請求項６に記載の画像形成装置であって、前記接近検知手段により、接近者が遠ざかったことを検知した場合、画像形成を停止し、所定の処理を行う非接近処理手段を有することを特徴とする画像形成装置。
【請求項８】
請求項７に記載の画像形成装置であって、画像形成停止後に再び接近が検知された場合、停止された続きの画像データから画像形成を行うことを特徴とする画像形成装置。
【発明の詳細な説明】
【技術分野】
【０００１】
本発明は画像形成装置に関し、画像形成要求者に余計な手間をかけず、ある程度のセキュリティを保ったまま画像形成を行うことに関するものである。
【背景技術】
【０００２】
近年、電子写真技術を用いた画像形成装置の分野においては、セキュリティの観点から様々な方法で個人認証を行う画像形成装置が検討および実装されてきた。
【０００３】
例えば、特許文献１のように、サーバに印刷データを予めアップロードしておき、どの印刷装置からでも、識別情報を入力すると印刷できるという発明もある。しかし、これは人が識別情報を自分で入力しなければならず、利便性に欠ける。
【特許文献１】特開２００２−３２２０５号公報
【発明の開示】
【発明が解決しようとする課題】
【０００４】
解決しようという問題点は、画像形成に際し、ユーザにとっての個人認証にかかる手間である。
【０００５】
本発明の画像形成装置は、上記問題点を解決するために、人の接近を自動で検知し、自動で識別情報を読み取り、個人認証を行い、画像形成を行う。
【課題を解決するための手段】
【０００６】
この発明は下記の構成を備えることにより上記課題を解決できるものである。
【０００７】
（１）接近者を検知する接近検知手段と、検知された接近者に対し何らかの処理を行う接近処理手段とを有することを特徴とする画像形成装置。
【発明の効果】
【０００８】
本発明によれば、自動で接近者を検知し自動で接近者の識別情報を読み取ることにより個人認証を行い、ある程度のセキュリティを保ったまま、ユーザに対し余計な手間をかけさせずに画像形成を行うことができる。
【０００９】
一般的にセキュリティを高めるためには、手順や暗号等を複雑化させることにより行うが、本発明により、容易に個人認証が行える画像形成装置を実現できる。
【発明を実施するための最良の形態】
【００１０】
接近者を検知できる画像形成装置において、自動で接近者の識別情報を読み取れるもので、かつ、収集した識別情報をもとに個人認証を行えるもの。ただし、個人認証は画像形成装置単体で行えなくともよい。接近者の識別情報を収集する際、その収集時間が１秒以内のもの。また、個人認証にかかる時間が１秒以内のもの。
【実施例１】
【００１１】
＜装置説明＞
図１は本発明の実施例における印刷システム全体の構成図を示すブロック図である。
【００１２】
図１において、印刷システムはＩＤチェック機能付プリンタ１０１、ＩＤチェック機能付プリンタ１０２、ホストＰＣ１０３とＩＤ情報や印刷データをプールおよび配信を行う管理サーバ１０４とで構成される。
【００１３】
＜動作説明＞
プリンタコントローラ１０２の動作を図２のフローチャートに基づいて説明する。
【００１４】
ホストＰＣ１０３から印刷要求があった際、管理サーバ１０４に対し印刷要求者の識別情報と印刷データを送信する（図２における２０１及び２０２）。次に、ＩＤチェック機能付プリンタ１０１に印刷要求者が接近すると自動で接近を検知し、印刷要求者のＩＤ情報を管理サーバ１０４に問い合わせる（２０３及び２０４）。管理サーバ１０４において、接近者が印刷要求者であることを確認できたら、管理サーバ１０４から印刷要求者の要求した印刷データをＩＤチェック機能付プリンタ１０１に対し配信する（２０５及び２０６）。配信された印刷データを印刷し、印刷要求者がＩＤチェック機能付プリンタ１０１の側を離れると、印刷要求者の識別情報と残りの印刷データを管理サーバに送信する（２０７，２０８及び２０９）。次に、ＩＤチェック機能付プリンタ１０２に印刷要求者が接近すると、管理サーバ１０４に印刷要求者のＩＤ情報を問い合わせ、認証できたら、先ほどの続きの印刷データが管理サーバ１０４からＩＤチェック機能付プリンタ１０２に対し配信される（２０３，２０４，２０５及び２０６）。印刷要求者が移動しなければそのまま印刷データが終了するまで印刷を続け、印刷完了（２０７，２０８及び２１０）。
【実施例２】
【００１５】
他の実施例として、実施例１のＩＤチェック機能付プリンタ１０１はプリンタ以外の画像形成装置でもよい。その場合、１０１，１０２，１０３，１０４，１０５，２０１，２０２，２０３，２０４，２０５，２０６，２０７，２０８，２０９及び２１０の名称およびその機能もその画像形成装置に応じて変わってもよい。また、印刷システムにおいてＩＤチェック機能付プリンタは１０１及び１０２の２台構成でなくともよい。
【実施例３】
【００１６】
他の実施例として、実施例１の図２のフローチャートにおいて、２０２時点で印刷データをＩＤチェック機能付プリンタがプールしてもよい。
【図面の簡単な説明】
【００１７】
【図１】一の実施例におけるプリンタシステム全体の構成を示すブロック図である。
【図２】本発明の第一の実施例におけるプリンタシステム全体の動作を説明するフローチャートである。
【符号の説明】
【００１８】
１０１  ＩＤチェック機能付プリンタ
１０２  ＩＤチェック機能付プリンタ
１０３  ホストＰＣ
１０４  管理サーバ
１０５  ネットワーク
【図１】
2006215932.tif 000003
【図２】
2006215932.tif 000004
(57)【要約】【課題】  比較的大口径のループ状無端ベルトを交換時、特に装填する際、ベルトを支える部材がないため両腕を大きく広げ無理な姿勢で装填を行う必要がある。ベルトの内径がφ５００ｍｍを越えるような大口径なループ状ベルトの場合、装填時に傷や折れを引き起こす。【解決手段】  ループ状に形成された中間転写体ベルト等の無端ベルトを有しが、該無端ベルトは搬送ローラ、従動ローラ、及びテンションローラによって懸架されてなる電子写真方式印刷装置ベルトユニットにおいて、前記無端ベルトの脱着時に該無端ベルトを重力方向に支える脱着プレートを設けた。【選択図】  図２
2006215358.tif 000002
【特許請求の範囲】
【請求項１】
ループ状に形成された中間転写体ベルト等の無端ベルトを有し、該無端ベルトは搬送ローラ、従動ローラ、及びテンションローラによって懸架されてなる電子写真方式印刷装置、のベルトユニットにおいて、前記無端ベルト脱着時に該無端ベルトを重力方向に支える脱着プレートを設けたことを特徴とする電子写真方式印刷装置のベルトユニット。
【請求項２】
前記脱着プレートは、前記無端ベルトを抜き差しする方向に平行移動可能としたことを特徴とする請求項１記載の電子写真方式印刷装置のベルトユニット。
【請求項３】
前記無端ベルトは、表層に感光体を塗布しことが特徴とする請求項１または２記載の電子写真方式印刷装置のベルトユニット。
【発明の詳細な説明】
【技術分野】
【０００１】
本発明は、比較的大きな口径となるループ状無端ベルトを有する電子写真式印刷装置のベルトユニットに関する。
【背景技術】
【０００２】
従来技術の一例を、図１を用いて説明する。
【０００３】
電子写真式印刷装置の画像形成部（印写部）は基本的に感光体５、帯電器３、ＬＥＤやレーザ等の光源４、現像機６、第一転写器１６及び感光体清掃機２よって構成される。感光体５表面に形成された感光体５の電位をコロナ放電等で帯電器３によって一様に帯電させ、次いで、光源４にて露光し印刷画像の静電潜像が形成される。感光体５は現像機６によって前記静電潜像にそって粒状トナーが静電力で引き付けられ付着して可視化する。感光体５上に可視化されたトナーはコロナ放電もしくはトナーと逆極性の電圧が印加されたゴムローラ等でできた第一転写器１６で中間転写体ベルト１２に静電力で引き付けられ転写する。全てが転写することが無いためトナーは感光体清掃機２にてブラシもしくはブレード等の手段で清掃される。中間転写体ベルト１２はモータ等の駆動源（非図示）によって回転駆動する駆動ローラ８によって搬送され、従動ローラ１０によって搬送経路が形成される。また、中間転写体ベルト１２の張力はテンションローラ９で与えられる。テンションローラ９は両端に配設したバネ１１で張力付与を行っている。各感光体によって順次各々の色が中間転写体ベルト１２上に転写されることで多色のトナー画像が中間転写体ベルト１２上に形成される。形成された多色トナー画像は第二転写器１７によって用紙１に転写される。更に、転写しきれなかったトナーは中間転写体清掃機１３にてブラシもしくはブレード等の手段で清掃される。転写された用紙１上のトナー像は図示しない定着機に送られ、加熱加圧されて用紙１上に固着する。
【０００４】
また、ループ状ベルトの交換容易化の技術についても知られている（例えば、特許文献１参照。）。
【０００５】
【特許文献１】特開２００２−４０９０２号公報
【発明の開示】
【発明が解決しようとする課題】
【０００６】
上記従来技術においては、機構部構成では中間転写体ベルトのような大口径の無端ベルトの交換時、特に装填する際、ベルトを支える部材がないため両腕を大きく広げて無理な姿勢で装填を行う必要がある。ベルトの内径がφ５００ｍｍを越えるような大口径なループ状ベルトの場合、装填時に傷や折れを引き起こす。
【０００７】
本発明の目的は、比較的大口径のループ状ベルトを装着する際、傷や折れを引き起こさずに容易に交換が行える機構を提供することにある。
【課題を解決するための手段】
【０００８】
上記の目的は、ループ状無端ベルト内側にベルトを重力方向に支えるプレートを内在させ、前記プレートがループ状無端ベルト装填方向に平行移動可能にすることで達成される。
【発明の効果】
【０００９】
本発明によれば、比較的大口径のループ状ベルトを装着する際、傷や折れを引き起こさずに容易に交換が行える。
【発明を実施するための最良の形態】
【００１０】
以下に、本発明の実施例を図２、図３によって説明する。
【実施例１】
【００１１】
図１、図２において、機構部の基本構成は図１の従来技術と同様に、感光体５の周囲に帯電器３、ＬＥＤやレーザ等の光源４、現像機６、第一転写器１６、感光体清掃機２及び中間転写体ベルト１２、第二転写器１７で用紙１に画像を形成する。これらを、印写機構部と称す。
【００１２】
本発明では、中間転写体ベルトユニット７内部に脱着用の脱着プレート１４を実装し、脱着プレート１４はスライドレール１５にて中間転写体ベルトユニット７に取り付けられている。図示しないが、駆動ローラ８、従動ローラ１０及びテンションローラ９の端部にはテーパを有した鍔状のベルト案内用ブロックを取り付けると有効である。
【００１３】
上記構成により、図３（取り外し状態）に示すように、中間転写体ベルト１２は脱着プレート１４上に乗った状態でベルトの装填が行える。
【００１４】
なお、本発明における構成は中間転写ベルトに限ったものではなく、例えば、表面に感光体層を有したベルトのように比較的大口径のループ状無端ベルトにも転用できる。
【図面の簡単な説明】
【００１５】
【図１】従来の技術における構成を示す概略説明図である。
【図２】本発明を説明する概略説明図である。
【図３】本発明におけるベルト装填時の状態を示す斜視図である。
【符号の説明】
【００１６】
１は用紙、２は感光体清掃機、３は帯電器、４は光源、５は感光体、６は現像機、７は中間転写体ベルトユニット、８は駆動ローラ、９はテンションローラ、１０は従動ローラ、１１はバネ、１２は中間転写体ベルト、１３は中間転写体清掃機、１４は脱着プレート、１５はスライドレール、１６は第一転写器、１７は第二転写器である。
【図１】
2006215358.tif 000003
【図２】
2006215358.tif 000004
【図３】
2006215358.tif 000005
(57)【要約】【課題】  部分的に艶のある質感を表現することができる表示板の光拡散調整方法を提供する。【解決手段】  透明樹脂層４の表面に形成された光拡散形状７の金属調描画図５に対応する部分だけに、サーマルヘッド８により熱を加えて平滑面９を形成する。平滑面９だけ光拡散効果がなくなるため、その部分だけ艶があり、高級感のある質感が得られる。サーマルヘッド８に代えて、金属調描画図５に相当する部分だけに、レーザーを照射し、その熱により、透明樹脂層４の光拡散形状７を除去、もしくは溶融させて、表面を平滑化させても良い。容易に部分的な表面艶調整が可能となり、いろいろなバリエーションに廉価で対応できる。【選択図】        図３
2006215372.tif 000002
【特許請求の範囲】
【請求項１】
インク層（３）の表面側に透明樹脂層（４）が形成され、該透明樹脂層（４）の表面に微細凹凸状の光拡散形状（７）が付与された表示板の光拡散調整方法であって、
前記透明樹脂層（４）の表面に部分的に熱を加えて、光拡散形状（７）による光拡散度合を変化させることを特徴とする表示板の光拡散調整方法。
【発明の詳細な説明】
【技術分野】
【０００１】
本発明は、表示板の光拡散調整方法に関するものである。
【背景技術】
【０００２】
自動車の計器パネル等に使用される表示板は、文字やマーク等の意匠を表したインク層を有し、その表面を透明樹脂層により保護している。透明樹脂層の表面には、微細凹凸状の光拡散形状が付与されている。透明樹脂層の表面で光を乱射させ、周囲の映り込みを防止して、インク層の視認性を高めるためである（例えば、特許文献１参照）。
【特許文献１】特開２００４−２７９１０４号公報
【発明の開示】
【発明が解決しようとする課題】
【０００３】
しかしながら、このような従来の技術にあっては、透明樹脂層の表面全体に光拡散形状が付与されているため、透明樹脂層の表面の中に、部分的に艶のある質感を表現することができない。例えばインク層中にワンポイントで金属調のロゴがあるような場合にも、その部分だけ艶のある質感にすることができない。
【０００４】
本発明は、このような従来の技術に着目してなされたものであり、部分的に艶のある質感を表現することができる表示板の光拡散調整方法を提供するものである。
【課題を解決するための手段】
【０００５】
請求項１記載の発明は、インク層の表面側に透明樹脂層が形成され、該透明樹脂層の表面に微細凹凸状の光拡散形状が付与された表示板の光拡散調整方法であって、前記透明樹脂層の表面に部分的に熱を加えて、光拡散形状による光拡散度合を変化させることを特徴とする。
【発明の効果】
【０００６】
請求項１記載の発明によれば、透明樹脂層の表面に部分的に熱を加えて、光拡散形状による光拡散度合を変化させるようにしたため、部分的に艶のある質感を表現することができる。
【発明を実施するための最良の形態】
【０００７】
部分的に艶のある質感を表現することができる表示板の光拡散調整方法を提供するという目的を、インク層の表面側に透明樹脂層が形成され、該透明樹脂層の表面に微細凹凸状の光拡散形状が付与された表示板の光拡散調整方法であって、前記透明樹脂層の表面に部分的に熱を加えて、光拡散形状による光拡散度合を変化させることで、実現した。以下、本発明の実施形態を図面に基づいて説明する。
【実施例】
【０００８】
図１〜図４は、本発明の一実施例を示す図である。この実施例では、自動車の内装品に使用される表示板１を説明する。この表示板１は、基材２と、インク層３と、透明樹脂層４とか構成されている。
【０００９】
インク層３は、基材２に接合する前の透明樹脂層４の片面に、インクリボンにより多色熱転写印刷される。インク層３の中には、ワンポイントで金属調のロゴを表現する金属調描画図５も形成されている。金属調描画図５だけ金属顔料が含まれている。そして、透明樹脂層４は、印刷後にインク層３側から基材２に接合される。
【００１０】
透明樹脂層４と基材２を接合した後、透明樹脂層４の表面には金属ローラー６で、微細凹凸状の光拡散形状７が全面的に形状転写される。光拡散形状７は微細凹凸であるが、図で拡大して示している。光拡散形状７が付与された透明樹脂層４の表面は、光が拡散されて艶消し状態となる。
【００１１】
そして、光拡散形状７が全面に付与された後、金属調描画図５に相当する部分だけ、加熱式のサーマルヘッド８を接触させて表面の光拡散形状７を溶融させ、平滑面９を形成する。金属顔料を含有した金属調描画図５のみ、光拡散効果がなくなるため、その部分だけ艶があり、高級感のある質感が得られる。
【００１２】
サーマルヘッド８により、光拡散形状７による光拡散効果を完全に無くしても良いし、完全に無くさずに部分的に光拡散効果を変化させて、別の質感を表現しても良い。
【００１３】
また、サーマルヘッド８に代えて、金属調描画図５に相当する部分だけに、レーザーを照射し、その熱により、透明樹脂層４の光拡散形状７を除去、もしくは溶融させて、表面を平滑化させても良い。容易に部分的な表面艶調整が可能となり、いろいろなバリエーションに廉価で対応できる。
【産業上の利用可能性】
【００１４】
この実施例では、自動車の内装品に使用される表示板１を例にしたが、自動車用に限らず、本発明は全ての産業分野の表示板に適用可能である。
【図面の簡単な説明】
【００１５】
【図１】本発明の一実施例に係る表示板を示す断面図。
【図２】透明樹脂層の表面への光拡散形状転写状態を示す表示板の断面図。
【図３】サーマルヘッドによる光拡散形状の加熱状態を示す表示板の断面図。
【図４】平滑面を部分的に形成した状態を示す表示板の断面図。
【符号の説明】
【００１６】
１  表皮材
２  基材
３  インク層
４  透明樹脂層
５  金属調描画図
６  金属ローラー
７  光拡散形状
８  サーマルヘッド
９  平滑面
【図１】
2006215372.tif 000003
【図２】
2006215372.tif 000004
【図３】
2006215372.tif 000005
【図４】
2006215372.tif 000006